(57)【要約】【課題】デジタル放送受信端末装置において、電波不感地帯に入ったときに自動的に代替提示を行う。【解決手段】リアルタイム／蓄積選択制御部２０において、受信状態監視部１９からの判定結果を定期的に取り込んで受信状態が良好か判断し、受信状態が良好ならば、リアルタイム再生を選択してＤＥＭＵＸ１５から受信コンテンツを選択出力させ、受信状態が不良と判定された場合には、コンテンツ蓄積部から所定の蓄積コンテンツを読み出し出力させ、ＤＥＭＵＸ１５から蓄積コンテンツを選択出力させる。この運用により、受信状態の判定から不感地帯への入出を判断することができ、通常はリアルタイムコンテンツを再生し、不感地帯に入ると自動的に蓄積コンテンツの再生に切り替わり、不感地帯を出れば自動的にリアルタイムコンテンツの再生に復帰することができる。【選択図】　　図１
2004112502.tif 000002
【特許請求の範囲】
【請求項１】
移動体に搭載され、デジタル放送を受信して番組コンテンツを再生するデジタル放送受信端末装置において、
前記予め任意の提示コンテンツを蓄積するコンテンツ蓄積手段と、
前記デジタル放送の受信状態の良否を判定する受信状態判定手段と、
この受信状態判定手段で受信状態が良好と判断したとき受信中のデジタル放送番組のリアルタイムコンテンツを選択し、不良と判断したとき前記コンテンツ蓄積手段の蓄積コンテンツを選択するコンテンツ選択制御手段と、
このコンテンツ選択制御手段で選択されたコンテンツを復号し再生出力する信号処理手段とを具備することを特徴とするデジタル放送受信端末装置。
【請求項２】
さらに、前記受信状態判定手段で受信状態が不良と判断されたとき、前記コンテンツ蓄積手段の蓄積状態を判断し、蓄積コンテンツがある場合には蓄積コンテンツを再生するかの案内を提示する案内提示手段を備えることを特徴とする請求項１記載のデジタル放送受信端末装置。
【請求項３】
前記受信状態判定手段は、定期的に受信状態を判定し、
前記コンテンツ選択制御手段は、前記受信状態判定結果から受信不良状態が良好状態に復帰したことを判別して自動的にリアルタイムコンテンツを選択出力することを特徴とする請求項１記載のデジタル放送受信端末装置。
【請求項４】
前記受信状態判定手段は、定期的に受信状態を判定し、
前記コンテンツ選択制御手段は、前記受信状態判定結果から受信不良状態が良好状態に復帰したことを判別したとき、その旨を提示するコンテンツを出力して、ユーザの指示を待ってリアルタイムコンテンツの選択に切り替えることを特徴とする請求項１記載のデジタル放送受信端末装置。
【請求項５】
前記コンテンツ選択制御手段は、自動復帰モードと手動復帰モードを備えることを特徴とする請求項１記載のデジタル放送受信端末装置。
【請求項６】
前記コンテンツ選択制御手段は、放送により提供されるスクリプトに基づいてリアルタイムコンテンツ選択の復帰を行うことを特徴とする請求項１記載のデジタル放送受信端末装置。
【請求項７】
前記受信状態判定手段は、少なくとも電波の強度、同期ワードの検出確率をスクリプトで取得するためのブラウザ関数を備えることを特徴とする請求項１記載のデジタル放送受信端末装置。
【請求項８】
移動体に搭載され、デジタル放送を受信して番組コンテンツを再生するデジタル放送受信端末装置の不感地帯処置方法において、
前記予め任意の提示コンテンツを蓄積するコンテンツ蓄積ステップと、
前記デジタル放送の受信状態の良否を判定する受信状態判定ステップと、
この受信状態判定ステップで受信状態が良好と判断したとき受信中のデジタル放送番組のリアルタイムコンテンツを選択し、不良と判断したとき前記コンテンツ蓄積手段の蓄積コンテンツを選択するコンテンツ選択制御ステップと、
このコンテンツ選択制御ステップで選択されたコンテンツを復号し再生出力する信号処理ステップとを具備し、
不感地帯に入って受信状態が不良となったとき、自動的に蓄積コンテンツの再生する、または蓄積コンテンツの手動再生を提示することを特徴とするデジタル放送受信端末装置の不感地帯対処方法。
【発明の詳細な説明】
【０００１】
【発明の属する技術分野】
本発明は、例えば移動体向けデータ放送を受信する移動体搭載用のデジタル放送受像端末装置に係り、特に電波不感地帯に被搭載移動体が入った場合の対処方法に関する。
【０００２】
【従来の技術】
現在、移動体向けのＳバンド衛星デジタル放送システムの実用化が進められている。このデジタル放送システムに用いられる受信端末装置は、当然のことながら電波不感帯に入ると視聴することができなくなる。録音録画機能、蓄積受信機能を有していれば、受信できない間はこれをユーザが適宜選択することで何らかのコンテンツを視聴することは可能である。
【０００３】
しかしながら、上記の機能だけでは、映像または音声出力が消えてしまって初めて不感地帯に入ったことを検知するのであり、ユーザはその都度、蓄積コンテンツの選択再生操作を実施しなければならず、ユーザにとって煩雑であった。特に、搭載車両がトンネルに入ったとき、ユーザがドライバのみの場合、自ら選択切り替えを実行しなければならず、運転中非常に危険な状況となる。
【０００４】
【発明が解決しようとする課題】
本発明は上記事情によりなされたもので、電波不感地帯に入ったときでも、自動的に代替提示を行うことのできるデジタル放送受信端末装置とその不感地帯対処方法を提供することを目的とする。
【０００５】
【課題を解決するための手段】
上記の目的を達成するために本発明は、移動体に搭載され、デジタル放送を受信して番組コンテンツを再生するデジタル放送受信端末装置において、前記予め任意の提示コンテンツを蓄積するコンテンツ蓄積手段と、前記デジタル放送の受信状態の良否を判定する受信状態判定手段と、この受信状態判定手段で受信状態が良好と判断したとき受信中のデジタル放送番組のリアルタイムコンテンツを選択し、不良と判断したとき前記コンテンツ蓄積手段の蓄積コンテンツを選択するコンテンツ選択制御手段と、このコンテンツ選択制御手段で選択されたコンテンツを復号し再生出力する信号処理手段とを具備することを特徴とする。
【０００６】
この構成によれば、受信状態を自動的に判定して現在不感帯に入っているかどうかを判断し、受信状態が不良な状態ならば自動的に蓄積コンテンツを選択して再生出力することができるようになり、ユーザが受信状態を判断したり、煩雑な操作を行ったりする必要がなくなる。
【０００７】
【発明の実施の形態】
以下、図面を参照して本発明の実施の形態について詳細に説明する。
本発明に係るデジタル放送受信端末装置の実施形態として、Ｓバンド衛星デジタル放送システムを例にとって説明する。本システムでは、伝送方式としてＣＤＭを採用し、番組コンテンツの提供をＭＰＥＧ４規格で行う。図１に本システムの受信端末装置の構成を示す。
【０００８】
図１において、アンテナ１１はＳバンド衛星放送信号を捕捉するもので、捕捉された放送信号はチューナ部１２で選局され、ＣＤＭ復調部１３でＣＤＭ復調され、ＥＦＣ処理部１４で誤り訂正処理がなされてベースバンドＴＳ（Ｔｒａｎｓｐｏｒｔ　Ｓｔｒｅａｍ）信号が取得される。このＴＳ信号はデコード分離部（ＤＥＭＵＸ）１５に送られる。このデコード分離部１５は、入力されるＴＳ信号からシステム情報を抽出し、このシステム情報に基づいてＴＳ信号から選択番組に必要な多重ビットストリーム（以下、リアルタイムコンテンツ）をデコードし、データビットストリーム、映像ビットストリーム、音声ビットストリームを分離出力するものである。
【０００９】
尚、このデコード分離部１５は、多重ビットストリームを記録再生用としてコンテンツ蓄積部１６に送出し、またこのコンテンツ蓄積部１６からの多重ビットストリーム（以下、蓄積コンテンツ）を選択指示に応じて取り込み、リアルタイムコンテンツと同様の処理を行う。
上記デコード分離部１５から出力されるデータ、音声、映像の各ビットストリームはＭＰＥＧ４デコーダ部１７でそれぞれ復号処理され、互いに同期して再生出力されて提示部１８に送られる。
【００１０】
一方、受信状態監視部１９は、少なくとも電波の強度、同期ワードの検出確率をスクリプトで取得するためのブラウザ関数を備え、ＣＤＭ復調部１３からＣＤＭ受信強度、ＦＥＣ処理部１４から同期ワード検出確率等の情報を受け取り、これらの値が基準値以上ならば受信状態は良好と判定し、基準値に満たない場合には受信状態は不良であり、本装置が電波不感地帯にあると判定する。この判定結果は、リアルタイム／蓄積選択制御部２０に送られる。
【００１１】
このリアルタイム／蓄積選択制御部２０は、受信状態監視部１９からの判定結果が「良好」の場合には、受信中のリアルタイムコンテンツを選択するようにＤＥＭＵＸ１５に指示し、判定結果が「不良」の場合には、コンテンツ蓄積部１６に蓄積コンテンツを送出させ、ＤＥＭＵＸ１５に蓄積コンテンツを選択するように指示を送る。
【００１２】
また、上記リアルタイム／蓄積選択制御部２０は、受信状態の状況と合わせてコンテンツ蓄積部１６の蓄積状況を把握し、受信状況、蓄積情報、リアルタイム／蓄積コンテンツ切り替えの問い合わせ等のガイダンス情報をユーザに通知するＢＭＬ（Ｂｒｏａｄｃａｓｔ　Ｍａｒｋｕｐ　Ｌａｎｇｕａｇｅ）ファイルを生成し、ＢＭＬ処理部２１に送る。このＢＭＬ処理部２１は、入力ＢＭＬファイルの記述内容に従ってコンテンツの再生内容を種々変更し、ファイルに記述されるガイダンス内容をテロップ表示させたりする。
【００１３】
上記構成において、以下にその運用について説明する。
図２はリアルタイム／蓄積選択制御部２０による運用例を示すもので、まず、受信状態監視部１９からの判定結果を定期的に取り込んで受信状態が良好か判断し（ステップＳ１１）、受信状態が良好ならば、リアルタイム再生を選択して、ＤＥＭＵＸ１５から受信コンテンツを選択出力させる（ステップＳ１２）。ステップＳ１１で受信状態が不良と判定された場合には、コンテンツ蓄積部１６から所定の蓄積コンテンツを読み出し出力させ、ＤＥＭＵＸ１５から蓄積コンテンツを選択出力させる（ステップＳ１３）。
【００１４】
上記の運用によれば、受信状態の判定は定期的に行い、良好から不良、不良から良好に切り替わったことを検出するようにしているので、不感地帯への入出を判断することができ、通常はリアルタイムコンテンツを再生し、不感地帯に入ると自動的に蓄積コンテンツの再生に切り替わり、不感地帯を出れば自動的にリアルタイムコンテンツの再生に復帰することができる。
【００１５】
図３はリアルタイム／蓄積選択制御部２０の他の運用例を示すもので、ここでは受信状態が不良となったときにユーザとのコミュニケーションを図る運用を想定している。
まず、図２の場合と同様に、受信状態監視部１９からの判定結果を定期的に取り込んで受信状態が良好か判断し（ステップＳ２１）、受信状態が良好ならば、リアルタイム再生を選択して、ＤＥＭＵＸ１５から受信コンテンツを選択出力させる（ステップＳ２２）。ステップＳ２１で受信状態が不良と判定された場合には、コンテンツ蓄積部１６の蓄積状況を把握して（ステップＳ２３）、蓄積コンテンツがなければ、例えば「電波が届きません」という受信不能メッセージを提示させ（ステップＳ２４）、ステップＳ２１に戻って受信状態が良好になるのを待つ。蓄積コンテンツがある場合には、蓄積コンテンツを再生可能であることを提示し（ステップＳ２５）、再生指示を待つ（ステップＳ２６）。再生指示がない場合にはステップＳ２４の処理に移行し、再生指示があった場合には蓄積コンテンツの再生を開始させる（ステップＳ２７）。
【００１６】
上記運用によれば、ユーザが蓄積コンテンツへの自動対応を拒否する場合に対処することができる。尚、自動対応、手動対応の各モードを選択設定できるようにしておけば、ユーザの利便性を高めることができる。
また、受信状態が良好な状況に復帰した場合に、ユーザにその旨を通知して自動的にリアルタイム再生に移行する、あるいはユーザの指示を待って移行するようにしてもよい。この場合も、自動復帰モード、手動復帰モードをユーザが選択設定できるようにしておけば、ユーザの利便性をいっそう高めることができる。
【００１７】
また、受信状態が良好になれば、放送により提供されるスクリプトが得られるので、このスクリプトに基づいてリアルタイムコンテンツ選択の復帰を行うようにすれば、受信状態の判定を行うまでもなく復帰処理が可能となる。
尚、上記実施形態では、伝送方式としてＣＤＭを採用した場合について説明したが、本発明はこれに限定されるものではなく、他の伝送方式であっても同様に実施可能である。
また、上記実施形態では、リアルタイムコンテンツとしてＭＰＥＧ４を使用した場合に関して例示しているが、データ放送（ＢＭＬ）の提示装置を備えているため、リアルタイムコンテンツとしてデータ放送を用いても実施可能である。
【００１８】
【発明の効果】
以上説明したように本発明によれば、電波不感地帯に入ったときでも、自動的に代替提示を行うことのできるデジタル放送受信端末装置とその不感地帯対処方法を提供することができる。
【図面の簡単な説明】
【図１】本発明に係るデジタル放送受信端末装置の実施形態として、Ｓバンド衛星デジタル放送システムを例にしたときの構成を示すブロック図。
【図２】上記実施形態のリアルタイム／蓄積選択制御部による運用例を示すフローチャート。
【図３】上記実施形態のリアルタイム／蓄積選択制御部による他の運用例を示すフローチャート。
【符号の説明】
１１…アンテナ
１２…チューナ部
１３…ＣＤＭ復調部
１４…ＦＥＣ処理部
１５…デコード分離部（ＤＥＭＵＸ）
１６…コンテンツ蓄積部
１７…ＭＰＥＧ４デコーダ部
１８…提示部
１９…受信状態監視部
２０…リアルタイム／蓄積選択制御部
２１…ＢＭＬ処理部
【図１】
2004112502.tif 000003
【図２】
2004112502.tif 000004
【図３】
2004112502.tif 000005